(57)【要約】  【課題】天板上の領域のみならず床面上の領域もデスクの幅方向に沿って仕切ることができ、プライバシーを重視したパーソナルワークに適したワークスペースの形成に寄与し、レイアウト変更に伴う移設作業も容易に行うことができるサイドパネルを提供する。  【解決手段】天板２１上にデスクトップパネル３を有したデスク２に取付可能なサイドパネル４であって、天板２１上に起立姿勢で配され天板２１上の領域を仕切り得る天板仕切部分４１Ａ、及び床面Ｆ上に起立姿勢で配され床面Ｆ上における着座者の側方領域を仕切り得る床面仕切部分４１Ｂを一体に有する側面視Ｌ字形又は略Ｌ字形のパネル本体４１と、パネル本体４１のうち天板仕切部分４１Ａ側の側端部に設けられデスクトップパネル３に接続可能な接続部４２と、パネル本体４１のうち床面仕切部分４１Ｂの下端部に設けられ床面Ｆに接地する接地部４３とを備えたものとした。【選択図】図１
2010004960.tif 000002
【特許請求の範囲】
【請求項１】
天板上にデスクトップパネルを有したデスクに取付可能なサイドパネルであって、
天板上に起立姿勢で配され天板上の領域を仕切り得る天板仕切部分、及び床面上に起立姿勢で配され床面上における着座者の側方領域を仕切り得る床面仕切部分を一体に有する側面視Ｌ字形又は略Ｌ字形のパネル本体と、
当該パネル本体のうち前記天板仕切部分側の側端部に設けられ前記デスクトップパネルに接続可能な接続部と、
前記パネル本体のうち前記床面仕切部分の下端部に設けられ床面に接地する接地部とを備えていることを特徴とするサイドパネル。
【請求項２】
さらに、前記パネル本体のうち前記天板仕切部分と前記床面仕切部分との境界部位又は境界部位近傍に設けられ、該パネル本体を前記天板に固定するための固定部を備えている請求項１記載のサイドパネル。
【請求項３】
前記接続部が、前記パネル本体のうち前記天板仕切部分側の側端部に形成した収容部にパネル本体の厚み方向に隙間無く又は略隙間無く嵌合可能な嵌合部と、前記デスクトップパネルに係わり合う引っ掛け部とを備えたものであり、
前記固定部が、前記天板の下方から天板を押圧し得る押圧部を備えたものである請求項２記載のサイドパネル。
【請求項４】
前記固定部が、前記天板の使用端に当接又は近接し得る当たり部を備えたものである請求項２又は３記載のサイドパネル。
【発明の詳細な説明】
【技術分野】
【０００１】
本発明は、デスクに取付可能なサイドパネルに関するものである。
【背景技術】
【０００２】
従来から、複数の作業者が利用できるようにしたいわゆるフリーアドレス型のデスクが知られている。このようなフリーアドレス型のデスクは、組織によって異なる使用態様にも柔軟に対応できるように、デスクトップパネルやサイドパネルを取付可能に構成している。
【０００３】
特にサイドパネルを取り付けた場合には、下記特許文献１に示されているように、天板上の領域をその幅方向（長手方向）に沿って分割することができ、サイドパネルによって仕切られた天板上の領域をパーソナルワークに適したスペースとして好適に使用することが可能である。
【特許文献１】特開２００８−１１９４１２号公報
【発明の開示】
【発明が解決しようとする課題】
【０００４】
しかしながら、従来から知られているサイドパネルは、天板上にのみ配置されるタイプであるため、天板上の領域をその幅方向に仕切ることが可能である一方で、天板よりも手前側の領域、換言すれば床面上における着座者の側方領域を仕切ることはできず、プライバシーを重視したパーソナルワークに最適なワークスペースを形成するという要望には十分に応えきれずにいた。
【０００５】
このような要望に応えるべく、床面上に起立姿勢で設置可能な高さ寸法の大きい別体のパネルを、天板上に載置したサイドパネルに接続する態様も考えられるが、このような態様であれば、部品点数が増加し、コストアップを招来する上に、それぞれ別体のパネル同士を相互に接続する態様であるため、十分な強度を確保することが困難であり、また精度が出し難いという不具合が生じ得る。さらに、レイアウト変更等によってサイドパネルの取付位置を変更する場合には、天板上のサイドパネルの移設作業と、床面上のパネルの移設作業がそれぞれ必要であり、レイアウト変更に伴う移設作業が煩雑になるという問題が生じる。
【０００６】
本発明は、このような課題に着目してなされたものであって、主たる目的は、天板上の領域のみならず床面上の領域もデスクの幅方向に沿って仕切ることができ、プライバシーを重視したパーソナルワークに適したワークスペースの形成に寄与し、レイアウト変更に伴う移設作業も容易に行うことができるサイドパネルを提供することにある。
【課題を解決するための手段】
【０００７】
すなわち、本発明のサイドパネルは、天板上にデスクトップパネルを有したデスクに取付可能なものであって、天板上に起立姿勢で配され天板上の領域を仕切り得る天板仕切部分、及び床面上に起立姿勢で配され床面上における着座者の側方領域を仕切り得る床面仕切部分を一体に有する側面視Ｌ字形又は略Ｌ字形のパネル本体と、当該パネル本体のうち前記天板仕切部分側の側端部に設けられ前記デスクトップパネルに接続可能な接続部と、前記パネル本体のうち前記床面仕切部分の下端部に設けられ床面に接地する接地部とを備えていることを特徴とする。
【０００８】
このようなものであれば、パネル本体が天板上に載置され得る天板仕切部分及び床面上に載置され得る床面仕切部分を一体に有する側面視Ｌ字形又は略Ｌ字形に形成されたものであるため、接続部をデスクトップパネルに接続し、接地部を床面に接地させた状態において、パネル本体の天板仕切部分によって天板上の領域を仕切ることができるとともに、床面仕切部分によって床面上における着座者の側方領域をも同時に仕切ることができ、パーソナルワークに必要とされるプライバシーを配慮し、執務により集中し易いワークスペースを形成することができる。しかも、天板仕切部分と床面仕切部分とが一体であるため、部品点数やコストの不要な増加を抑えることができるとともに、高い強度を確保することができる。加えて、天板仕切部分と床面仕切部分とが一体であるため、高い取付精度を要求されることもなく、レイアウト変更等に伴うサイドパネルの移設作業も簡便に済ますことができる。
【０００９】
さらに、サイドパネルが、前記パネル本体のうち前記天板仕切部分と前記床面仕切部分との境界部位又は境界部位近傍に設けられ、該パネル本体を前記天板に固定するための固定部を備えたものであれば、天板仕切部分と床面仕切部分とを一体に有する比較的大型なパネル本体であっても、これら天板仕切部分と床面仕切部分との境界部位又は境界部位近傍に設けた固定部によってパネル本体を天板に固定することにより、天板に対するパネル本体の不意なガタツキや位置ずれを防止することができ、サイドパネル全体の取付強度を高めることができ、安定した設置状態を実現することができる。
【００１０】
前記接続部が、前記パネル本体のうち前記天板仕切部分側の側端部に形成した収容部にパネル本体の厚み方向に隙間無く又は略隙間無く嵌合可能な嵌合部と、前記デスクトップパネルに係わり合う引っ掛け部とを備えたものであり、前記固定部が、前記天板の下方から天板を押圧し得る押圧部を備えたものであれば、接続部をパネル本体から取り外した状態でその引っ掛け部をデスクトップパネルに係わり合わせ、パネル本体の収容部に接続部の嵌合部を嵌合させることによって、接続部とパネル本体とがパネル本体の厚み方向に位置決めされた状態で一体的に組み付けられるとともに、固定部の押圧部によって天板を下方から押圧することによって、この押圧部と、パネル本体のうち天板仕切部分の下端部とによって天板を挟み込んだ状態で支持することができ、サイドパネルのガタツキの生じ難い良好な取付状態を実現できる。
【００１１】
パネル本体が天板の使用端に当接することに起因する損傷を防止するには、前記固定部が、前記天板の使用端に当接又は近接し得る当たり部を備えたものであればよい。このようなものであれば、移設作業が頻繁に行われる場合に特に有効である。
【発明の効果】
【００１２】
以上説明したように本発明によれば、天板上の領域のみならず床面上の領域もデスクの幅方向に沿って仕切ることができ、プライバシーを重視したパーソナルワークに適したワークスペースの形成に寄与し、レイアウト変更に伴う移設作業も容易に行うことが可能なサイドパネルを提供することができる。
【発明を実施するための最良の形態】
【００１３】
以下、本発明の一実施形態を、図面を参照して説明する。
【００１４】
本実施形態に係るサイドパネル４は、例えば図１に示す家具システム１に適用されるものである。
【００１５】
家具システム１は、複数人が横並びで使用可能な幅寸法及び複数人が対面して使用可能な奥行き寸法を有するデスク２を主体としてなり、このデスク２の奥行き方向中央位置にデスクトップパネル３を取付可能に構成している。
【００１６】
デスク２は、例えば自席が限定されない所謂フリーアドレス型のオフィス等において用いられる大型のものであり、天板２１と、この天板２１を支持する支持構造体２２とを備えたものである。
【００１７】
天板２１は、図１に示すように、天板要素２１１を複数用いて構成したものである。具体的には、平面視矩形状をなす天板要素２１１を４つ用い、そのうち２枚ずつの天板要素２１１を一組としてそれらの反使用端２１１ｂ同士を向き合わせて配置し、その天板要素２１１の組を隣接させて配置することで、天板２１全体の奥行き方向中央部に各天板要素２１１の反使用端２１１ｂを集合させ、且つ奥行き方向両端部に各天板要素２１１の使用端２１１ａを位置付けている。つまり、天板２１の奥行き方向両端部が何れも使用端となる。なお、天板２１全体の奥行き方向に対をなす天板要素２１１の反使用端２１１ｂ同士の間に隙間を形成し、この隙間を、天板２１の下方空間に配置した図示しない配線ダクトの配線空間に連通させている。また、図１では、デスク２の幅方向両端にエンドパネル２３を設けた態様を例示しているが、このエンドパネル２３は用途に応じて取り外し可能なものである。
【００１８】
支持構造体２２は、起立姿勢で配され左右一対をなすパネル状の脚体（以下、「パネル脚２２１」と称す）と、一対のパネル脚２２１同士の略中間位置に配される中間脚（図示省略）と、各パネル脚２２１と中間脚との間に横架させた梁フレーム (図示省略)とを備えたものである。
【００１９】
デスクトップパネル３は、天板２１全体の奥行き方向中央位置に配されるものであり、本実施形態では、一のデスクトップパネル３の幅寸法を天板要素２１１の幅寸法と同一又は略同一に設定し、このようなデスクトップパネル３を天板２１の幅方向に沿って複数並べて設けている。各デスクトップパネル３は、デスクトップパネル本体３１と、デスクトップパネル本体３１を支持し且つ前記天板要素２１１の反使用端２１１ｂ同士の間に設けた図示しない支柱取付部に取付可能な左右一対のパネル支柱３２とを備えたものである。
【００２０】
しかして、本実施形態の家具システム１はサイドパネル４を取付可能に構成している。なお、サイドパネル４に関する以下の説明では、天板２１の奥行き方向中央側をサイドパネル４の「前」側とし、天板２１の使用端側をサイドパネル４の「後」側とする。
【００２１】
サイドパネル４は、図１及び図２に示すように、天板２１上に起立姿勢で載置され得る天板仕切部分４１Ａ及び床面Ｆ上に起立姿勢で載置され得る床面仕切部分４１Ｂを一体に有する側面視Ｌ字形又は略Ｌ字形に形成されたパネル本体４１と、パネル本体４１のうち天板仕切部分４１Ａ側の側端部に設けられデスクトップパネル３に接続可能な接続部４２と、パネル本体４１のうち床面仕切部分４１Ｂの下端部に設けられ床面Ｆに接地する接地部４３と、パネル本体４１のうち天板仕切部分４１Ａと床面仕切部分４１Ｂとの境界部位に設けられ該パネル本体４１を天板２１に固定するための固定部４４を備えたものである。なお、図２では、デスク２及びデスクトップパネル３に対するサイドパネル４の相対位置関係を示すべく、デスク２のうち天板２１のみを示すとともに、デスクトップパネル３のうちデスクトップパネル３１のみを示している。
【００２２】
パネル本体４１は、一体構造をなすフレームにより側面視Ｌ字形又は略Ｌ字形の骨格を形成し、このフレームの両面にそれぞれ化粧面を設けている。なお、化粧面としては、ピン等が差し込み可能なクロスタイプや、チョーク又はペン等で描画可能なボードタイプ、或いはマグネットタイプやハンギングタイプ等が挙げられ、これらのうちから、業務内容や使用態様に応じて適宜選択すればよい。パネル本体４１のうち天板仕切部分４１Ａ側の側端部（換言すれば、パネル本体４１の前端部）に、接続部４２の一部を収容し得る収容部４１ａを形成している（図２参照）。収容部４１ａは、パネル本体４１の前方にのみ開口する縦長の中空ボックス状をなすものである。パネル本体４１のうち床面仕切部分４１Ｂ側の側端部（換言すれば、パネル本体４１の後端部）にはエンドカバー４１３を取り付け、床面仕切部分４１Ｂにおいてこのエンドカバー４１３と対面する端部に、床面仕切部分４１Ｂの高さ寸法から天板仕切部分４１Ａの高さ寸法を引いた寸法を有する中間カバー４１４を取り付けている。天板仕切部分４１Ａと床面仕切部分４１Ｂとは、外見上、高さ寸法が大きく変わる部分で区切ることができる。言及するまでもないが、パネル本体４１のうち相対的に高さ寸法が小さい領域が天板仕切部分４１Ａであり、相対的に高さ寸法が大きい領域が床面仕切部分４１Ｂであり、また、パネル本体４１の上端部は全幅に亘って同一高さ位置である一方で、天板仕切部分４１Ａの下端部が床面仕切部分４１Ｂの下端部よりも上方に位置する。なお、パネル本体４１のうち天板仕切部分４１Ａ側の側端部の下端領域に矩形状又は略矩形状の切欠部４１ｂを設け、サイドパネル４をデスク２に取り付けた状態において、この切欠部４１ｂと天板２１との間に空隙が形成されるようにしている。
【００２３】
接続部４２は、図３及び図４に示すように、隣接するデスクトップパネル３の境界部位に形成される溝３ａに対して上方から抜き挿し可能な平面視Ｔ字又は略Ｔ字形の突起部４２１と、前記パネル本体４１の収容部４１ａにパネル本体４１の厚み方向に隙間無く又は略隙間無く嵌合可能な嵌合部４２２とを備えたものである。嵌合部４２２は、前方及び上下方向に開口する平面視略コ字状をなし、その内部空間に補強部材を一体的に設けている。さらに、補強部材の少なくとも上端部及び下端部に、高さ方向に沿って雌ネジが切ってあり、この雌ネジを利用して、嵌合部４２２の上端部側に第１引っ掛け片４２３をネジ止めするとともに、嵌合部４２２の下端部側に第２引っ掛け片４２４をネジ止めしている。これら第１引っ掛け片４２３及び第２引っ掛け片４２４の先端部を、嵌合部４２２の前方に向ける一方で、前記突起部４２１の先端部を嵌合部４２２の後方に向けている。
【００２４】
接地部４３は、パネル本体４１のうち床面仕切部分４１Ｂの下端部に設けられたものである。本実施形態では、アジャスタ機能を有する一対の接地部４３を適用している。
【００２５】
固定部４４は、図５〜図７（図５は図２の要部拡大図であり、図６は図５のＸ方向矢視図に相当するものであり、図７は図５のＹ方向矢視図に相当するものである）に示すように、天板２１の下方に潜り込み雌ネジ４４１ｘを切ったベース４４１と、前記雌ネジ４４１ｘに下方からねじ込み可能なねじ込み部材４４２と、ねじ込み部材４４２の先端部に、このねじ込み部材４４２に対して空転可能に支持され、且つねじ込み部材４４２の螺進退動作に伴って上下動することにより天板２１の下面に対して接離し、天板２１の下面を押圧し得る押圧部４４３とを備えものである。そして、ねじ込み部材４４２をねじ込んで押圧部４４３を上方へある程度移動させた際に、この押圧部４４３とパネル本体４１の天板仕切部分４１Ａの下端部とによって天板２１を挟持することが可能となる。すなわち、この固定部４４はパネル本体４１と協働してクランプ機能を発揮し得るものである。
【００２６】
固定部４４のベース４４１は、例えば単一の板金を折り曲げ成形したものであり、パネル本体４１の前記中間カバー４１４に設けた溝４１４ａに係わり合う差込み部４４１ａと、差込み部４４１ａの上端部から前方に延びる前方延出部４４１ｂと、前方延出部４４１ｂの先端から垂下し天板２１の使用端に当接又は近接し得る当たり部４４１ｃと、当たり部４４１ｃの両側縁から後方に延び先端部が中間カバー４１４の前面に当接し得る一対の対向壁部４４１ｄと、当たり部４４１ｃの下縁から前方に延び先端部側に偏位した幅方向中央位置に雌ネジ４４１ｘを切った潜り込み部４４１ｅと、潜り込み部４４１ｅの両側縁から下方に垂下する左右一対の鍔部４４１ｆとを備えたものである。このベース４４１は、差込み部４４１ａを中間カバー４１４の溝４１４ａに係わり合わせるとともに、前方延出部４４１ｂに設けたネジ挿通孔４４１ｙと、パネル本体４１の天板仕切部分４１Ａと床面仕切部分４１Ｂとの境界部位近傍の下面に設けた図示しない雌ネジとを一致させ、下方からネジ挿通孔４４１ｙに挿入したビスＢを雌ネジにネジ止めすることによって、パネル本体４１に一体的に取り付けられている。また、中間カバー４１４の前面に当接する前記左右一対の対向壁部４４１ｄの先端部には、例えばクッションシート等の緩衝用シート４４１ｇを貼り付けている。ベース４４１の前方延出部４４１ｂはパネル本体４１の厚み寸法内に収められるものである。
【００２７】
ねじ込み部材４４２は、雌ネジ４４１ｘにねじ合わせ可能な軸部４４２ａと頭部４４２ｂとを備えてなり、この頭部４４２ｂを直接摘んで、或いは頭部４４２ｂに設けた工具差込用孔にドライバ等の工具を差し込んでねじ回すことによって、ベース４４１、より具体的には潜り込み部４４１ｅに対して上下方向に進退動作するものである。なお、操作性の向上という観点から、頭部４４２ｂに図示しないグリップを設け、グリップを把持して回すことにより、ベース４４１、特に潜り込み部４４１ｅに対して上下方向に進退動作させるようにしてもよい。なお、本実施形態では、ねじ込み部材４４２として、軸部４４２ａの先端部が尖っている尖り先ねじを適用している。
【００２８】
押圧部４４３は、平板状をなす金属製のものであり、幅方向中央位置に厚み方向に貫通する小孔４４３ａを設けている。この小孔４４３ａは、ねじ込み部材４４２の先端部の一部のみが入り込み得る開口径に設定され、さらに、ねじ込み部材４４２の先端部を小孔４４３ａに入り込ませた状態でねじ込み部の先端部が小孔４４３ａ内に収まる、換言すれば、ねじ込み部材４４２の先端部が押圧部４４３の上面よりも上方に突出しないように設定している。
【００２９】
次に、このようなサイドパネル４を、デスク２に取り付ける手順及び作用について説明する。なお、本実施形態に係るサイドパネル４は、図１に示すように、隣接するデスクトップパネル３同士の境界部位に取り付けることが可能であるとともに、デスクトップパネル３同士の境界部位以外にも取り付けることが可能である。すなわち、このサイドパネル４は、デスクトップパネル３に対する取付位置が自在に変更可能なものである。
【００３０】
以下の説明では、先ずサイドパネル４を隣接するデスクトップパネル３同士の境界部位に取り付ける手順及び作用について説明する。
【００３１】
隣接するデスクトップパネル３同士の境界部位にサイドパネル４を取り付けるには、先ず、図３に示すように、接続部４２をパネル本体４１から分離させ、接続部４２の前記Ｔ字状又は略Ｔ字状の突起部４２１を、デスクトップパネル３同士の境界部材に形成される溝３ａに上方から差し込む。この差し込み状態において接続部４２はデスクトップパネル３に対して天板２１の使用端側に向かって抜き外すことができない状態で引っ掛かり、且つデスクトップパネル３の幅方向への首振り動作（ガタツキ）も規制された状態となる。なお、デスクトップパネル３同士の境界部材に形成される溝３ａは、各デスクトップパネル３の端部キャップ３ｃ（後出の図８参照）を取り外した状態でのみ露出するものであるため、接続部４２の突起部４２１をデスクトップパネル３同士の境界部材に形成される溝３ａに挿入する前に、デスクトップパネル３の端部キャップ３ｃを予め取り外している。
【００３２】
次いで、図４に示すように、接続部４２のうち天板２１上に露出している部分を前記収容部４１ａに収容するように天板２１の使用端側からパネル本体４１をデスクトップパネル３に近付け、収容部４１ａに接続部４２の嵌合部４２２を嵌合させる。嵌合部４２２がパネル本体４１の厚み方向に隙間無く又は略隙間無く収容部４１ａに嵌合することにより、接続部４２に対するパネル本体４１の首振り動作（ガタツキ）が規制される。なお、接続部４２の前記第１引っ掛け片４２３及び第２引っ掛け片４２４は、嵌合部４２２よりも後方に位置付けられるが、これら第１引っ掛け片４２３及び第２引っ掛け片４２４も収容部４１ａ内に収容される。
【００３３】
収容部４１ａに嵌合部４２２を嵌合させるようにパネル本体４１をデスクトップパネル３に近付ける作業に伴って、固定部４４の一部が天板２１の使用端側の下方に潜り込む。具体的には、前記ベース４４１の潜り込み部４４１ｅが天板２１の下方に潜り込む。潜り込み部４４１ｅ全体又は略全体が天板２１の下方に潜り込んだ時点で、前記当たり部４４１ｃが天板２１の使用端に当接又は近接する。この状態で、ねじ込み部材４４２を正方向に回転させる操作力を付与すると、この操作力によってねじ込み部材４４２が潜り込み部４４１ｅの雌ネジ４４１ｘに螺合しながら上方へ移動し、これに伴ってねじ込み部材４４２の先端に空転可能に支持させた押圧部４４３が上方へ移動する。ある程度ねじ込み部材４４２が上方へ移動した時点で押圧部４４３が天板２１の下面に当接し、さらにねじ込み部材４４２を正方向に回転させる操作力を付与することによって、押圧部４４３が天板２１の下面を押圧し、この押圧部４４３と、パネル本体４１の天板仕切部分４１Ａの下端部とによって天板２１をその厚み方向に挟持する。このように、押圧部４４３とパネル本体４１の天板仕切部分４１Ａの下端部とによって天板２１をその厚み方向に締め付けて挟持することにより、サイドパネル４をデスク２に固定することができる。この固定状態において、接地部４３が床面Ｆに接地することによって、サイドパネル４の安定した取付状態が確保される。固定状態において、天板２１の使用端と前記中間カバー４１４の前面との間、換言すれば天板２１の使用端と床面仕切部分４１Ｂとの間には、ベース４４１の一部、具体的にはベース４４１の当たり部４４１ｃ及び左右一対の対向壁部４４１ｄが介在するため、高さ寸法の差異により外見上で床面仕切部分４１Ｂと区別される天板仕切部分４１Ａのうち、平面視においてベース４４１の当たり部４４１ｃ及び左右一対の対向壁部４４１ｄと重なる領域は、実際には天板２１上に載置されない。つまり、本実施形態では、天板仕切部分４１Ａと床面仕切部分４１Ｂとを外見上高さ寸法が大きく変わる部分で区切っており、平面視においてベース４４１の当たり部４４１ｃ及び左右一対の対向壁部４４１ｄと重なり、天板２１上には載置されない部分も含めて「天板仕切部分４１Ａ」としている。なお、予め取り外していたデスクトップパネル３の端部キャップ３ｃは、サイドパネル４を設置した後に取り付ければよい。
【００３４】
次に、サイドパネル４の取付位置を変更する作業、つまりサイドパネル４の移設作業の手順及び作用について説明する。以下では、隣接するデスクトップパネル３同士の境界部位に取り付けていたサイドパネル４を、デスクトップパネル３同士の境界部位以外に取り付ける際の手順及び作用について説明する。
【００３５】
先ず、ねじ込み部材４４２を逆方向に回転させる操作力を付与し、ねじ込み部材４４２を潜り込み部４４１ｅの雌ネジ４４１ｘに螺合させながら下方へ移動させて、これに伴って押圧部４４３も下方へ移動させる。これにより、押圧部４４３とパネル本体４１の天板仕切部分４１Ａの下端部とによる天板２１の挟持状態が解除され、パネル本体４１をデスクトップパネル３から離間させる方向に移動させる。次いで、デスクトップパネル３同士の境界部材に形成される溝３ａに挿入している突起部４２１を上方へ引き抜いて溝３ａから抜き外すことによって、接続部４２をデスクトップパネル３から分離させる。そして、接続部４２の前記第１引っ掛け片４２３を一旦嵌合部４２２から取り外し、図８に示すように、第１引っ掛け片４２３のみをデスクトップパネル３の上端部近傍に設けた上部スリット３ｔに係わり合わせる。上部スリット３ｔはデスクトップパネル３の幅方向に沿って連続して設けられているため、この第１引っ掛け片４２３を係わり合わせる位置もデスクトップパネル３の幅方向に沿った所望の位置に自在に変更できる。第１引っ掛け片４２３をデスクトップパネル３の幅方向に沿った所望の位置に係わり合わせた状態で、接続部４２を前記突起部４２１が前面側に位置付けられるように姿勢変更し、第２引っ掛け片４２４をデスクトップパネル３の下面に設けた下部スリット３ｕ（図３参照）に係わり合わせるとともに、第１引っ掛け片４２３と嵌合部４２２とを再度ねじ止めすることにより、接続部４２をデスクトップパネル３の幅方向に沿った所望の位置に取り付けることができる。この後の手順及び作用は前述の手順及び作用と同様であるため、詳細な説明は省略する。
【００３６】
ここで、隣接するデスクトップパネル３同士の境界部位にサイドパネル４を取り付ける態様では、接続部４２の突起部４２１が、デスクトップパネル３に係わり合う本発明の「引っ掛け部」として機能し、デスクトップパネル３同士の境界部位以外にサイドパネル４を取り付ける態様では、接続部４２の第１引っ掛け片４２３及び第２引っ掛け片４２４が本発明の「引っ掛け部」として機能することを付言しておく。なお、下部スリット３ｕもデスクトップパネル３の幅方向に沿って連続して設けられている。また、収容部４１ａに接続部４２の嵌合部４２２を嵌合させた状態において、嵌合部４２２よりも後方に位置付けられる接続部４２の突起部４２１は、収容部４１ａ内に収容される。
【００３７】
このように、本実施形態に係るサイドパネル４は、一体構造をなす側面視Ｌ字形又は略Ｌ字形のフレームによりパネル本体４１を形成し、天板仕切部分４１Ａ及び床面仕切部分４１Ｂを一体に有するものであるため、天板仕切部分４１Ａによって天板２１上の領域を仕切ることができるとともに、床面仕切部分４１Ｂによって床面Ｆ上における着座者の側方領域をも同時に仕切ることができ、パーソナルワークに必要とされるプライバシーを配慮し、執務により集中し易いワークスペースを形成することができる。さらに、天板仕切部分４１Ａと床面仕切部分４１Ｂとが一体であるため、部品点数やコストの不要な増加を抑えることができるとともに、高い強度を確保することができる。しかも、天板仕切部分４１Ａと床面仕切部分４１Ｂとが一体であるため、高い取付精度を要求されることもなく、レイアウト変更等に伴うサイドパネル４の移設作業も簡便に行うことができる。
【００３８】
特に、パネル本体４１のうち天板仕切部分４１Ａと床面仕切部分４１Ｂとの境界部位又は境界部位近傍に、パネル本体４１を天板２１に固定するための固定部４４を設けているため、天板仕切部分４１Ａと床面仕切部分４１Ｂとを一体に有する大型なパネル本体４１であっても、これら天板仕切部分４１Ａと床面仕切部分４１Ｂとの境界部位に設けた固定部４４によってパネル本体４１を天板２１に固定することにより、天板２１に対するパネル本体４１の不意なガタツキや位置ずれを防止することができ、サイドパネル４全体の取付強度を高めることができ、安定した設置状態を実現することができる。
【００３９】
また、接続部４２が、パネル本体４１のうち天板仕切部分４１Ａ側の側端部に形成した収容部４１ａにパネル本体４１の厚み方向に隙間無く又は略隙間無く嵌合可能な嵌合部４２２と、デスクトップパネル３に係わり合う引っ掛け部（突起部４２１、第１引っ掛け片４２３、第２引っ掛け片４２４）とを備えたものであり、固定部４４が、天板２１の下方から天板２１を押圧し得る押圧部４４３を備えたものであるため、接続部４２をパネル本体４１から取り外した状態でその引っ掛け部（突起部４２１、第１引っ掛け片４２３、第２引っ掛け片４２４）をデスクトップパネル３に係わり合わせ、パネル本体４１の収容部４１ａに接続部４２の嵌合部４２２を嵌合させるとともに、固定部４４の押圧部４４３によって天板２１を下方から押圧することによって、この押圧部４４３と、パネル本体４１のうち天板仕切部分４１Ａの下端部とによって天板２１を挟み込んだ状態で支持することができ、サイドパネル４のガタツキの生じ難い良好な取付状態を実現できる。
【００４０】
加えて、固定部４４が、天板２１の使用端に当接又は近接し得る当たり部４４１ｃを備えたものであるため、パネル本体４１が天板２１の使用端に当接することに起因する損傷を防止でき、移設作業が頻繁に行われる場合に特に有効である。
【００４１】
なお、本発明は、以上に詳述した実施形態に限られるものではない。
【００４２】
例えば、サイドパネルが固定部を有さず、パネル本体のうち天板仕切部分を天板に載せ置き、接地部を床面に接地させた状態で安定した自立姿勢となるサイドパネルであってもよい。また、固定部に代えて又は併用して、パネル本体をデスクトップパネル側に近付けて取り付ける作業に連動して天板の所定箇所に弾性係合する弾性係合部を備えたサイドパネルであっても構わない。
【００４３】
また、固定部として、クランプ仕様のものではなく、単純なネジ止め機構を適用してもよい。
【００４４】
また、デスクが、４枚以上又は４枚以下の天板要素から構成された天板を備えたもの、或いは単一の大型の天板要素のみで構成された天板を備えたものであっても勿論構わない。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係るサイドパネルを取り付けた家具システムの全体概略図。
【図２】同実施形態に係るサイドパネルの全体図。
【図３】同実施形態に係るサイドパネルを隣接するデスクトップパネルの境界部分に取り付ける手順を説明するための図。
【図４】同実施形態に係るサイドパネルを隣接するデスクトップパネルの境界部分に取り付ける手順を説明するための図。
【図５】図２の要部拡大図。
【図６】図５のＸ方向矢視図を一部省略して示す図。
【図７】図５のＹ方向から見たサイドパネルのベース部を示す図。
【図８】同実施形態に係るサイドパネルをデスクトップパネルのうち隣接するデスクトップパネルの境界部分以外の部分に取り付ける手順を説明するための図。
【図９】同実施形態に係るサイドパネルをデスクトップパネルのうち隣接するデスクトップパネルの境界部分以外の部分に取り付ける手順を説明するための図。
【符号の説明】
【００４７】
２…デスク
２１…天板
３…デスクトップパネル
４…サイドパネル
４１…パネル本体
４１ａ…収容部
４１Ａ…天板仕切部分
４１Ｂ…床面仕切部分
４２…接続部
４２１…引っ掛け部（突起部）
４２２…嵌合部
４２３、４２４…引っ掛け部（第１引っ掛け片、第２引っ掛け片）
４３…接地部
４４…固定部
４４１ｃ…当たり部
４４３…押圧部
Ｆ…床面
【図１】
2010004960.tif 000003
【図２】
2010004960.tif 000004
【図３】
2010004960.tif 000005
【図４】
2010004960.tif 000006
【図５】
2010004960.tif 000007
【図６】
2010004960.tif 000008
【図７】
2010004960.tif 000009
【図８】
2010004960.tif 000010
【図９】
2010004960.tif 000011